(57)【要約】【課題】従来の光路切換スイッチでは、光線の角度ずれにより、挿入損失が大きいことと、小型化が課題であった。【解決手段】入射手段および出射手段と、反射素子と、ペンタプリズムと、回転アクチュエータとで構成され、２つの前記ペンタプリズムを前記回転アクチュエータによって回転させ、光路に挿抜することにより、光路切換を行う。ペンタプリズムの反射光線は入射光線に対して常に略９０度である特性と、回転アクチュエータの回転軸の倒れ角を軸受けにより小さくすることによって、光路切換時に光軸の角度ずれの発生を極小化し挿入損失を小さくすることと、アクチュエータを１つにすることによって小型化を可能とした。【選択図】図１
2005092149.tif 000002
【特許請求の範囲】
【請求項１】
外部から光を入射させる光入射手段と、前記光入射手段で入射された前記光を外部に出射させる光出射手段と、前記入射光を前記光出射手段へ導くための光路切換素子を有する切換手段と、前記光路切換素子を光路中に挿抜させるアクチュエータを有する移動手段と、を備えた光路切換スイッチにおいて、前記駆動アクチュエータを回転アクチュエータとし、1つの前記回転アクチュエータと一体となって少なくとも２つ以上の前記光路切換素子が回転移動することを特徴とする光路切換スイッチ。
【請求項２】
前記光路切換素子がペンタプリズムであることを特徴とする請求項１に記載の光路切換スイッチ。
【請求項３】
前記光路切換素子が、互いに４５度を成す２つの反射面を有するミラーであることを特徴とする請求項１に記載の光路切換スイッチ。
【請求項４】
固定された反射素子で光を反射させ、光の方向を変えることにより、光入射手段と光出射手段の引き出される方向を、同一方向、反対方向、垂直方向等の任意の方向に変えることを特徴とする請求項１〜３に記載の光路切換スイッチ。
【請求項５】
前記光路切換スイッチの複数組を、同一パッケージに内蔵することを特徴とする請求項１〜４に記載の光路切換スイッチ。
【請求項６】
前記ベースに軸受け機能を持たせたことを特徴とする請求項１〜５に記載の光路切換スイッチ。
【発明の詳細な説明】
【技術分野】
【０００１】
本発明は、光路切換素子を光路線上に挿抜させることにより光路を切り換える光路切換スイッチに関するものであり、光情報ネットワーク、光ＬＡＮなどの光通信分野において利用できる光路切換スイッチに関する。
【背景技術】
【０００２】
従来、この種の光路切換スイッチとしては、例えば図３および図４に示すような光路切換スイッチ１００が知られている。図３において、光路切換スイッチ１００は、２入力、２出力の２×２光路切換スイッチであり、入力ポート１、２、出力ポート３、４、ファイバコリメータ５、６、７、８、光路切換素子９−１、９−２、９−３、および９−４、光路切換素子を支持し光路へ直線運動で挿抜するアクチュエータ１１、ファイバコリメータとアクチュエータを固定する基板１０からなる。
ファイバコリメータ５は、光ファイバ５−１とレンズ５−２からなり、ファイバコリメータ７も同様である。ファイバコリメータ５、７からの出射光線は平行ビームになる。
【０００３】
図３および図４に示すような光路切換スイッチ１００に使用されるアクチュエータは、電磁力、静電力、形状記憶合金などを用いた直線運動するアクチュエータであり、光路切換素子９−１、９−２、９−３、および９−４を支持し、直線移動により光路切換素子を光路中に挿抜する。
【０００４】
光路切換素子９−１、９−２、９−３、および９−４は反射ミラーである。光路切換素子９−１、９−２は図４に示す光線１５−１と、光路切換素子９−３、９−４は、図４に示す光線１６−１とそれぞれ略４５度を成して配置される。
【０００５】
光路の切換方法を説明する。図４（ａ）のように、アクチュエータ１１を駆動させ、光路切換素子９−２と９−３を光路に挿入し、光路切換素子９−１と９−４を光路から抜いた場合には、ファイバコリメータ５、６からの出射光線１５−１、１６−１は、光路切換素子９−２と９−３でそれぞれ反射し、ファイバコリメータ８、７に出射光線１５−２、１６−２として入射するので、入力ポート１、２はそれぞれ出力ポート４、３と接続する。
一方、図４（ｂ）のように、アクチュエータ１１を駆動させ、光路切換素子９−１と９−４を光路に挿入し、光路切換素子９−３を光路から抜いた場合には、ファイバコリメータ５、６からの出射光線１５−１、１６−１は、光路切換素子９−１と９−４でそれぞれ反射し、ファイバコリメータ７、８に出射光線１５−３、１６−３として入射するので、入力ポート１、２はそれぞれ出力ポート３、４と接続する。
このように、光路切換素子９−１、９−２、９−３、および９−４の挿抜により、光路が切り換えられる。
【特許文献１】特開２００１−３５０１０５号公報
【発明の開示】
【発明が解決しようとする課題】
【０００６】
上記従来の光路切換スイッチ１００において、光路切換において挿入損失の小さいことが実用上最も重要な要件である。挿入損失を小さくするには、入力のファイバコリメータからの出射光線が少ない損失で出力のファイバコリメータに入射することであり、以下の条件を満たすことが必要である。
光路切換素子９−２が光路中に挿入された状態において、光路切換素子９−２からの反射光線１５−２の光軸とファイバコリメータ８の光軸が一致し、また光路切換素子９−３からの反射光線１６−２の光軸とファイバコリメータ７の光軸が一致しなければならない。
この条件は、光路切換素子９−２および９−３が介在していることにより、様々な工夫をしなければ満足させることができない。その要因を図４と図５により説明する。
【０００７】
図５は図４の光路切換スイッチの光路切換素子９−２付近の拡大図である。図５（ｂ）で示すファイバコリメータ５の光軸方向をＸ軸、ファイバコリメータ８の光軸方向をＹ軸と定める。Ｘ軸、Ｙ軸、Ｚ軸を中心軸とし、それぞれφ、θ、ψ回転方向とする。入射ポートのファイバコリメータからの光線が光路切換素子９−２から反射した光線の光軸と、出射ポートのファイバコリメータの光軸を一致させるためには、入射ポートのファイバコリメータからの光線の光軸と光路切換素子９−２とが、ψ方向において略４５度を成し、かつφ方向、θ方向共に略９０度を成すことが必要である。すなわち、φ、θ、ψ回転方向のいずれか一方向でも角度ずれが発生すると、光路切換素子９−２の反射光線の光軸に角度ずれが発生し、損失増加の要因になる。
光路切換素子９−２の位置は、アクチュエータ１１によって規定されるが、アクチュエータ１１の加工・組み立て精度による芯振れ、歪み、撓みなどにより回転角φ、θ、ψのズレを完全に零にすることは不可能である。また、光路切換素子９−２の反射面の角度加工精度によっても大きな角度ズレの原因になる。
図５（ａ）には、角度ずれΔψが発生した場合を点線で模式的に描いているが、光路切換素子９−２からの出射光線１５−４は、ファイバコリメータ８の光軸に対して角度ずれ２Δψと軸ずれΔＹを起こしている。
出射光線１５−２のビーム直径が０．５ｍｍ、許容結合損失が０．２ｄＢの場合、軸ずれの許容範囲は０．０５ｍｍであるのに対して、角度ずれの許容範囲は０．０２度以下である。一方向の角度ずれのみならず、二方向または三方向の角度ずれが生じた場合、結合損失は非常に大きなものとなってしまう。
アクチュエータ１１は位置合わせ手段を用いて、軸ずれを０．０１ｍｍ程度以下に制御することはさほど困難ではないが、光路切換スイッチは、頻繁に光路切換素子を挿抜するために、アクチュエータ１１の加工・組立精度による芯振れ、歪み、撓みなどにより角度ずれを生じやすく、アクチュエータ１１の加工・組立精度、さらに光路切換素子９−２の反射面の角度加工精度などを考慮すると、常に全ての方向の角度ずれを０．０２度以下に制御することは極めて困難であるという課題があった。
【０００８】
また、別の問題点として、図４に示すように、４つの光路切換素子を独立に駆動させることから、一つの光路切換素子に対して１つのアクチュエータが必要であることと、光路切換素子の光路挿入時の位置決め精度を高めるためにアクチュエータの回転軸を太くする必要があることから、光路切換スイッチの小型化が難しいという課題があった。
【課題を解決するための手段】
【０００９】
上記課題を解決するために、本発明に係わる請求項１の発明によれば、外部から光を入射させる光入射手段と、前記光入射手段で入射された前記光を外部に出射させる光出射手段と、前記入射光を前記光出射手段へ導くための光路切換素子を有する切換手段と、前記光路切換素子を光路中に挿抜させるアクチュエータを有する移動手段と、を備えた光路切換スイッチにおいて、前記駆動アクチュエータを回転アクチュエータとし、かつ1つの前記回転アクチュエータと一体となって少なくとも２つ以上の前記光路切換素子が回転移動することを特徴とする。
さらに請求項２の発明によれば、前記光路切換素子がペンタプリズムであることを特徴とする。
例えば、光ファイバとレンズを組み合わせたファイバコリメータを有する入射手段と、光路切換素子と、光ファイバとレンズを組み合わせたファイバコリメータを有する出射手段と、前記光路切換素子を回転させる回転手段であるアクチュエータとを備え、光路切換素子であるペンタプリズ２個を同時にアクチュエータ１つで光路に挿抜する。
したがって、ペンタプリズムの特性により、図１の回転角ψの方向に前記ペンタプリズが角度ズレを起こしても、出射光線は回転角ψの方向に角度ずれが発生しない。また２つのペンタプリズムを支持するベースの軸受けは、プリズム2個分の面積をとれることから、高い角度精度がえられるため、回転角φ、θにおいても角度ずれを小さくすることができる。以上のように、角度ψはペンタプリズムの光学特性により、また角度φ、θは機構的に抑えることにより、光路切換スイッチの挿入損失を小さくすることができる。
また、２つの光路切換素子を、１つのアクチュエータで回転させることにより、アクチュエータの占有体積を小さくすることができ、小型化が可能となる。
請求項３の発明によれば、前記光路切換素子が、互いに４５度を成す２つの反射面を有するミラーであることを特徴とする。
請求項４の発明によれば、固定された反射素子で光ビームを反射させ、光の方向を変えることにより、光入射手段と光出射手段の引き出される方向を、同一方向、反対方向、垂直方向等の任意の方向に変えることを特徴とする。
請求項５の発明によれば、前記光路切換スイッチの複数組を、同一パッケージに内蔵することを特徴とする。
請求項６の発明によれば、前記ベースに軸受け機能を持たせたことを特徴とする。
【発明の効果】
【００１０】
本発明は、軸受け機能を持ったベースに支持された少なくとも２つののペンタプリズムの機能を持った光路切換素子を、１個のアクチュエータの回転運動により光路線上に挿抜することを特徴としている。したがって、ペンタプリズムの反射光線は、一つの角度方向において入射光線に対して常に略９０度であることと、ペンタプリズム２つを支持するベースの軸受け機能により、ペンタプリズムの他の２方向の角度ずれを抑制することにより、光路切換スイッチの挿入損失を小さくすることができる。また、アクチュエータの回転駆動方向と、ペンタプリズムの角度ずれ許容方向を一致させることにより、アクチュエータの回転駆動方向の位置決め精度を緩和でき、繰り返し切り換え動作時の挿入損失の変動を小さくすることができる。
また、複数の光路切換素子を、１つのアクチュエータで回転させることにより、アクチュエータの占有体積を小さくすることができ、小型化が可能となる。
また、３つの実施形態に示したように、入射手段と出射手段の導かれる方向を任意に選択することができる。そのため、光路切換スイッチを回路基板に実装する形態の選択範囲が拡がることから、実装しやすくなるとともに小型化できる。
さらに、複数の光路切換スイッチを１つのパッケージに実装すればコンパクトな複数の光路切換スイッチユニットができる。
したがって、低損失かつ小型な光路切換スイッチに提供することができる。
また、ベースの直径を大きくしたり、ベースに別部材を取り付けたりすることにより、回転軸に対してベースとプラットフォームの接触位置の距離を離すことにより回転軸のブレを少なくできることから、簡易な構造で、高度な軸受け機能を持たせることができる。
【発明を実施するための最良の形態】
【００１１】
以下、本発明の実施の形態について、図面を用いて説明する。
（第１の実施形態）
【００１２】
図１において、本発明の形態に係る光路切換スイッチ２００は、入力ポートと出力ポートが同一面側になるようにした、２入力、２出力の２×２光路切換スイッチである。
光路切換スイッチ２００は、入力ポートであるファイバコリメータ２０１、２０３と、出力ポートであるファイバコリメータ２０２、２０４、光路切換素子２０６−１、２０６−２、反射素子２０５−１、２０５−２、光路切換素子を回転させるアクチュエータ２０８、ファイバコリメータとアクチュエータを固定するプラットフォーム２０９、光路切換素子を支持し、プラットフォーム上で軸受けの役割を果たしながら回転するベース２０７、からなる。
ファイバコリメータ２０１は、光ファイバ２０１−１とレンズ２０１−２からなり、ファイバコリメータ２０１からの出射光線２１０は平行ビームになる。他のファイバコリメータ２０２、２０３、２０４も同様である。レンズ系２０１−２には、球状レンズ、ドラムレンズ、屈折率が場所により変化するＧＲＩＮレンズ、フレネルレンズ等のレンズ作用を示すものを使用することができる。
【００１３】
ファイバコリメータ２０１、２０３は入射手段を構成し、ファイバコリメータ２０２、２０４は出射手段を構成している。入射手段と出射手段のファイバコリメータは、同じ向きに配置する。光路切換素子２０６−１、２０６−２は、２個のペンタプリズムからなる。アクチュエータ２０８は、光路切換素子２０６−１、２０６−２を入射手段の光路線上に回転運動により挿抜させる回転手段である。
【００１４】
図２を用いて、光路切換素子であるペンタプリズム２０６−１の特徴について説明する。
図２（ａ）のように、ペンタプリズム２０６−１は、光線の入射面３１３ｃと出射面３１３ｄの成す角３１２が９０度、第１反射面３１３ａと出射面３１３ｄの成す角３１０ａが１１２．５度、第１反射面３１３ａと第２反射面３１３ｂの成す角３１１が４５度、第２反射面３１３ｂと入射面３１３ｂの成す角３１０ｂが１１２．５度である光学プリズムである。反射面である３１３ａ、３１３ｂには、反射膜を付けて光を反射させる。
入射光線２１０はペンタプリズム２０６−１に入射され、第１反射面である３１３ａで反射され、次に第２反射面である３１３ｂで再び反射され、出射面ａ−ｅから出射光線２５０として出射される。このとき、入射光線２１０と出射光線２５０の角度２１４は、必ず９０度となることがペンタプリズムの特徴である。
図２（ｂ）のように、ペンタプリズム２０６−１が点線で示した３２０のように傾いた場合において、入射光線２１０と出射光線３５０の角度２１５は９０度となり、ψ方向の角度の変化はなく、軸ずれ３６０が発生するのみである。先に述べたように、出射手段であるファイバコリメータの光結合損失は、軸ずれよりも角度ずれの方が格段に厳しいことが分かっている。
したがって、ペンタプリズムを光路切換スイッチに用いれば、ペンタプリズムからの出射光線にψ方向の角度ずれが無くなることから、低損失な光路切換スイッチを得ることができる。
【００１５】
光路切換素子であるペンタプリズムの製造方法については、研磨加工による方法の他、ガラスモールドなどの型成型方法を用いても良い。さらに、本実施形態においては、挿入損失を低減するために、入射面３１３ｃ、反射面３１３ｄには、ＳｉＯ２薄膜やＴｉＯ２薄膜などからなる誘電体多層膜無反射コーティングを施して透過率をあげ、また、第１反射面１１３ａと第２反射面１１３ｂには、同様な誘電体材料からなる誘電体多層膜全反射コーティングを施して反射率を向上している。また、第１反射面と第２反射面には、アルミニウムまたは銀などのコーティングを施しても良い。
【００１６】
図１において、光路切換素子を回転させるアクチュエータ２０８は、電磁力を使用した電磁式アクチュエータや、ＭＥＭＳ（Ｍｉｃｒｏ  Ｅｌｅｃｔｒｏ  Ｍｅｃｈａｎｉｃａｌ  Ｓｙｓｔｅｍｓ）技術を使用した静電アクチュエータなど、回転駆動力を発生させるアクチュエータを採用することができる。
図１において、ベース２０７はプラットフォーム２０９上で軸受けの役割を果たしているが、光路切換素子２つを２つのアクチュエータでそれぞれ回転させるよりも、本発明の光路切換素子２つをアクチュエータ１つで回転させる方が、ベース２０７の直径を大きくでき、プラットフォーム２０９の上平面に面しているベース２０７の下平面の面積を大きくとれ、回転軸に対してベース２０７の端部とプラットフォーム２０９との接触位置を遠くにとれることから、高精度な軸受けとなり、回転角φ、θについて角度ずれを抑制することが可能である。
【００１７】
図１において、アクチュエータ２０８の回転駆動方向と、ペンタプリズム２０６−１、２０６−２の角度ずれ許容方向ψ（図２（ｃ））を一致させており、アクチュエータの回転駆動方向の位置決め精度を必要としないことから、アクチュエータの加工組立精度を緩和でき、繰り返し動作時の挿入損失の変化を許容することができる。よって、直線駆動するアクチュエータを使用するよりも、本発明の回転アクチュエータを使用する方が、角度ずれを抑制でき、低損失な光路切換スイッチを実現できる。
【００１８】
次に、上述した光路切換スイッチ２００の動作について図１を用いて説明する。図１（ａ）において、光路切換素子２０６−１、２０６−２を光路中に挿入しない場合、入力のファイバコリメータ２０１と２０３からの出射光線２１０と２３０について、出射光線２１０は、最初に反射素子２０５−１で反射され、さらに反射素子２０５−２で再度反射され光線２４０となり、出射光線２３０は、最初に反射素子２０５−２で反射され、さらに反射素子２０５−１で再度反射され光線２２０となり、それぞれ出力のファイバコリメータ２０４と２０２に接続される。
【００１９】
一方、図１（ｂ）において、アクチュエータを９０度回転させ、光路切換素子２０６−１、２０６−２を光路中に挿入した場合、入力のファイバコリメータ２０１と２０３からの出射光線２１０と２３０について、出射光線２１０は、最初に反射素子２０５−１で反射され、次に光路切換素子２０６−１内で反射し略９０度に偏向し出射光線２５０となり、出射光線２３０は、最初に反射素子２０５−２で反射され、次に光路切換素子２０６−２内で反射し略９０度に偏向し出射光線２６０となり、それぞれ出力のファイバコリメータ２０２と２０４に接続される。
【００２０】
次に、光路切換素子２０６−１、２０６−２の配置について説明する。図１（ｂ）において、光路切換素子２０６−１は、入力のファイバコリメータ２０１からの出射光線２１０の反射素子２０５−１からの反射光線が、光路切換素子２０６−１内で９０度反射し、出力のファイバコリメータ２０２の光軸と一致するように配置する。光路切換素子２０６−２についても同様である。
【００２１】
次に、ファイバコリメータ、光路切換素子、アクチュエータ、反射素子などの光路切換スイッチ構成要素の組立方法について説明する。まず入力のファイバコリメータ２０１と２０３を固定した後に光を出射し、反射素子からの反射光線と、出力のファイバコリメータ２０２と２０４それぞれの光軸とを一致させるように出力のファイバコリメータ２０２と２０４を調芯して固定する。次に、アクチュエータ２０８を光路切換素子挿入位置に移動させ、２個の光路切換素子２０６−１、２０６−２からのそれぞれの反射光線が、出力のファイバコリメータ２０２、２０４のそれぞれの光軸と一致するように、２個の光路切換素子２０６−１、２０６−２をそれぞれ調整して固定する。すなわち、２個の光路切換素子をそれぞれ調整することにより、低損失な光路切換スイッチを提供することができる。ただし、図１（ｂ）に対する座標系である図１（ｄ）におけるＸ軸、Ｙ軸、φ軸、θ軸方向は精密に調整し、Ｚ軸方向は荒い調整で良い。ψ軸方向は、光路切換素子２０６−１の入射面と入射光線が厳密に９０度となるように調整する必要はない。光路切換素子２０６−２についても同様である。
【００２２】
光路切換素子がペンタプリズムであるため、光路切換素子を光路に挿入する場合に、アクチュエータのψ軸方向の回転角度精度は、厳密でなくとも、光路を略９０度に偏向することができる。また、光路切換素子を光路から外す場合においても、光路切換素子が光路を遮らなければ良いので、アクチュエータの回転角度精度に精度は必要ない。
【００２３】
以上に説明したように、光路切換スイッチは、回転アクチュエータで図２に示す光路切換素子２個を回転させることによって、入力のファイバコリメータ２０１、２０３からの出射光線の光路を切り換え、出力のファイバコリメータ２０４、２０２の光学的な接続を変更することができる。
【００２４】
また、本光路切換スイッチは、図２に示すペンタプリズムを光路切換素子として使用しているので、光路切換素子２０６−１、２０６−２が図２（ｃ）のψ軸方向に回転しても、出射光線２５０と２６０に角度ずれを生じないことと、ベース２０７の軸受け機能により、回転角φ、θ方向の角度ずれを抑制していることにより、光路切換スイッチの挿入損失を小さくすることができる。
【００２５】
また、本光路切換スイッチは、図２に示すペンタプリズムを光路切換素子として使用しているので、光路切換素子２０６−１、２０６−２が図２（ｃ）のψ軸方向に回転しても、出射光線２５０と２６０に角度ずれを生じないことから、組み立て許容精度が緩和され組み立て費用を削減でき、光路切換スイッチを安価に提供できる。
【００２６】
また、本光路切換スイッチは、図２に示すペンタプリズムを光路切換素子として使用しているので、光路切換素子２０６−１、２０６−２が図２（ｃ）のψ軸方向に回転しても、出射光線２５０と２６０に角度ずれを生じないことから、角度依存性の大きなファイバコリメータでの結合損失を抑制でき、従来と比較して低損失な光路切換スイッチを提供できる。
（第２の実施形態）
【００２７】
図６は、本発明に係る光路切換スイッチの他の実施形態を示す上面図である。同図の光路切換スイッチ５００は、図１の光路切換スイッチ２００と同様に、２入力、２出力の２×２光路切換スイッチである。
【００２８】
図６に示す光路切換スイッチ５００は、入力ポートであるファイバコリメータ５０１、５０３と、出力ポートであるファイバコリメータ５０２、５０４、光路切換素子５０６−１、５０６−２、光路切換素子を支持し、プラットフォーム上で軸受けの役割を果たしながら回転するベース５０７、反射素子５０５−１、５０５−２、５１−１、５１−２、光路切換素子を回転させる回転アクチュエータ５０８、ファイバコリメータとアクチュエータを固定するプラットフォーム５０９からなる。
【００２９】
同図のように、平行に配置した入力ポートであるファイバコリメータ５０１と、出力ポートであるファイバコリメータ５０４の１対と、平行に配置した入力ポートであるファイバコリメータ５０２と、出力ポートであるファイバコリメータ５０３の１対とは、略１８０度反対方向へ配置する。
【００３０】
同図のように、ファイバコリメータ５０１からの出射光線５１０は、反射素子５１−１で略90度偏向され、ファイバコリメータ５０４への入射光線は、反射素子５１−２で略90度偏向されてから、ファイバコリメータ５０４への入射する。
【００３１】
同図（ａ）に示すように、光路切換素子５０６−１、５０６−２を光路中に挿入しない場合には、入力のファイバコリメータ５０１と５０３からの出射光線５１０と５３０は、それぞれ出力のファイバコリメータ５０４と５０２に接続される。
【００３２】
一方、同図（ｂ）に示すように、１個の回転アクチュエータ５０８を略９０度回転させ、光路切換素子５０６−１、５０６−２を光路中に挿抜することで、入力のファイバコリメータ５０１と５０３からの出射光線５１０と５３０は、それぞれ出力のファイバコリメータ５０２と５０４に接続される。
（第３の実施形態）
【００３３】
図７は、本発明に係る光路切換スイッチの他の実施形態を示す上面図である。同図の光路切換スイッチ６００は、図１の光路切換スイッチ６００と同様に、２入力、２出力の２×２光路切換スイッチである。
【００３４】
図７に示す光路切換スイッチ６００は、入力ポートであるファイバコリメータ６０１、６０３と、出力ポートであるファイバコリメータ６０２、６０４、光路切換素子６０６−１、６０６−２、光路切換素子を支持し、プラットフォーム上で軸受けの役割を果たしながら回転するベース６０７、反射素子６０５−１、６０５−２、光路切換素子を回転させる回転アクチュエータ６０８、ファイバコリメータとアクチュエータを固定するプラットフォーム６０９からなる。
【００３５】
同図のように、対向させて配置した入力ポートであるファイバコリメータ６０１と、出力ポートであるファイバコリメータ６０４の１対と、平行に配置した入力ポートであるファイバコリメータ６０２と、出力ポートであるファイバコリメータ６０３の１対とは、略直角に配置する。
【００３６】
同図（ａ）に示すように、光路切換素子６０６−１、６０６−２を光路中に挿入しない場合には、入力のファイバコリメータ６０１と６０３からの出射光線６１０と６３０は、
それぞれ出力のファイバコリメータ６０４と６０２に接続される。
【００３７】
一方、同図（ｂ）に示すように、１個の回転アクチュエータ６０８を略９０度回転させ、光路切換素子６０６−１、６０６−２を光路中に挿抜することで、入力のファイバコリメータ６０１と６０３からの出射光線６１０と６３０は、それぞれ出力のファイバコリメータ６０２と６０４に接続される。
【００３８】
光路切換スイッチ２００、５００、６００は、入力と出力の光ファイバを出す方向が異なる実施形態であるが、組み込む光通信機器に合わせて製作できるという利点がある。
【図面の簡単な説明】
【００３９】
【図１】本発明の実施形態に係る光路切換スイッチの上面図と断面図である。
【図２】図１に示す光路切換素子の上面図である。
【図３】従来の光路切換装置の上面図と断面図である。
【図４】従来の光路切換装置の上面図である。
【図５】従来の光路切換装置の角度ずれを説明するための図である。
【図６】本発明の他の実施形態に係る光路切換スイッチの上面図、断面図である。
【図７】本発明の他の実施形態に係る光路切換スイッチの上面図、断面図である。
【符号の説明】
【００４０】
５１−１、５１−２      ・・・・反射素子
２００            ・・・・・・・光路切換スイッチ
２０１、２０３    ・・・・・・・入力ファイバコリメータ（入射手段）
２０２、２０４    ・・・・・・・出力ファイバコリメータ（出射手段）
２０１−１        ・・・・・・・光ファイバ
２０１−２        ・・・・・・・レンズ系
２０５−１、２０５−２    ・・・反射素子
２０６−１、２０６−２    ・・・光路切換素子
２０７            ・・・・・・・光路切換素子を固定するベース
２０８            ・・・・・・・アクチュエータ
２０９            ・・・・・・・プラットフォーム
２１０、２２０、２３０、２４０、２５０、２６０  ・・・光線（光）
ａ、ｂ、ｃ、ｄ、ｅ  ・・・・・・光路切換素子の頂点
３１０ａ、３１０ｂ、３１１、３１２  ・・・光路切換素子の角度
３１３ａ、３１３ｂ  ・・・・・・光路切換素子の反射面
３１４、３１５      ・・・・・・光路切換素子の入射光線と出射光線の成す角度
３２０            ・・・・・・・光路切換素子
３５０            ・・・・・・・光線（光）
３６０            ・・・・・・・軸ずれ量
５００            ・・・・・・・光路切換スイッチ
６００            ・・・・・・・光路切換スイッチ
【図１】
2005092149.tif 000003
【図２】
2005092149.tif 000004
【図３】
2005092149.tif 000005
【図４】
2005092149.tif 000006
【図５】
2005092149.tif 000007
【図６】
2005092149.tif 000008
【図７】
2005092149.tif 000009